(57)【要約】【課題】直線型のユニットの端部に配置されたコーナ型のユニットの保冷室の端部、棚の上部に陳列された商品であっても、十分に冷却でき、運転コストを低減できるオープンショーケースを提供することを目的としている。【解決手段】延設ゾーン３、４の一方の端部に配設される端部ゾーン２と、からなる組合せオープンショーケースにおいて、端部ゾーン２は、保冷室１１内に設けられた陳列棚と、延設ゾーン３、４と端部ゾーン２との間を区画する区画パネル１２と、を備え、保冷室１１の開放された面にエアカーテンが形成されるオープンショーケースであって、保冷室１１は、正面視及び側面視にて下底より上底を短寸とした略台形に形成され、前記区画パネルの正面視の形状は、前記端部ゾーンの保冷室の正面視の形状と略同一の形状に形成されたことを特徴としている。【選択図】図２
2015150042.tif 000002
【特許請求の範囲】
【請求項１】
保冷室を有する延設ゾーンと、前記延設ゾーンの少なくとも一方の端部に配設されるとともに、正面が開放され、側面が開放可能な保冷室を有する端部ゾーンと、からなる組合せオープンショーケースにおいて、前記端部ゾーンは、保冷室の内部に設けられる商品を陳列する棚と、前記延設ゾーンと前記端部ゾーンとの間を区画する区画パネルと、を備え、前記保冷室の上部から吹出した冷気を前記保冷室の下部にて吸い込むことで前記端部ゾーンの前記開放された面にエアカーテンが形成されるオープンショーケースであって、前記端部ゾーンの保冷室は、正面視及び側面視にて下底より上底を短寸とした略台形に形成され、前記区画パネルの正面視の形状は、前記端部ゾーンの保冷室の正面視の形状と略同一の形状に形成されたことを特徴とするオープンショーケース。
【請求項２】
前記端部ゾーンの前記保冷室の側面には透明板が配設されることを特徴とする請求項１に記載のオープンショーケース。
【請求項３】
前記区画パネルは、前記端部ゾーンの保冷室に冷気を供給する冷気供給孔を備え、前記冷気供給孔は、前記端部ゾーンの棚の幅の略全長にわたり配設されるとともに、前記棚と前記透明板との間に位置するように配設されることを特徴とする請求項２に記載のオープンショーケース。
【請求項４】
前記端部ゾーン及び前記延設ゾーンは、それぞれ冷却装置を備え、それぞれの保冷室内の温度を独立して制御できることを特徴とする請求項１ないし３のいずれかに記載のオープンショーケース。
【発明の詳細な説明】
【技術分野】
【０００１】
本発明は、スーパーマーケット等に設置されるオープンショーケースに係り、冷蔵温度が比較的低い（たとえば、４℃前後）商品を陳列、保存に最適な生鮮食品用のオープンショーケースに関する。
【背景技術】
【０００２】
従来、この種のオープンショーケースには、正面が開放された直線型のユニットの両端に、正面と一側面が開放されたコーナ型のユニットを連結したものや、このように連結したものを背中合わせに結合したものなどがあり、前者のものは壁面に沿って配置され、また後者のものはフロアの中央に、中島状に設置される。
【０００３】
通常のオープンショーケースは、天井部の冷気の吹出口から陳列台の下部外周縁の吸込口に冷気を吹き出すことにより、開放面にエアカーテンを形成し、庫内に貯蔵又は陳列した商品を保冷するようになっている。コーナ型のユニットは正面と一側面の二面が開放されているので、十分なエアカーテンが形成されず、下段よりも上段の棚に陳列された商品が冷えにくく、また、棚の中央よりも棚の端に陳列された商品が冷えにくい傾向がある。また、直線型のユニットからの空気がコーナ部のオープンショーケースの開放面に流れ込み、十分な冷却効果が得られない處がある。このため、冷気の循環ダクト内に大型の冷却器を設けるとともに、送風ファンを複数個設け、コーナ部を冷気が十分に循環するようにして、コーナ部の冷却効果を高めるようにしたものがある（特許文献１）。
【先行技術文献】
【特許文献】
【０００４】
【特許文献１】特許第２８８０４６４号公報（第３頁、図１−図４）
【発明の概要】
【発明が解決しようとする課題】
【０００５】
しかしながら、特許文献１にあっては、冷却ユニットそのものを大型化して冷却能力を高めているため、オープンショーケースのコストが増大するばかりか、オープンショーケースの運転コストも増大するという問題がある。
【０００６】
本発明は、このような問題点に着目してなされたもので、直線型のユニットの端部に配置されたコーナ型のユニットの保冷室の端部、棚の上部に陳列された商品であっても、十分に冷却でき、運転コストを低減できるオープンショーケースを提供することを目的としている。
【課題を解決するための手段】
【０００７】
前記課題を解決するために、本発明のオープンショーケースは、
保冷室を有する延設ゾーンと、前記延設ゾーンの少なくとも一方の端部に配設されるとともに、正面が開放され、側面が開放可能な保冷室を有する端部ゾーンと、からなる組合せオープンショーケースにおいて、前記端部ゾーンは、保冷室の内部に設けられる商品を陳列する棚と、前記延設ゾーンと前記端部ゾーンとの間を区画する区画パネルと、を備え、前記保冷室の上部から吹出した冷気を前記保冷室の下部にて吸い込むことで前記端部ゾーンの前記開放された面にエアカーテンが形成されるオープンショーケースであって、前記端部ゾーンの保冷室は、正面視及び側面視にて下底より上底を短寸とした略台形に形成され、前記区画パネルの正面視の形状は、前記端部ゾーンの保冷室の正面視の形状と略同一の形状に形成されたことを特徴としている。
この特徴によれば、端部ゾーンの保冷室の正面視の形状と略同一に形成された区画パネルによって、延設ゾーンから端部ゾーンの保冷室へ回り込みによる外気、熱が侵入することを防ぐとともに、端部ゾーンの保冷室を正面視及び側面視にて下底より上底を短寸とする略台形に形成して、保冷室の上部ほど断面積を小さくすることにより、前開放された正面、側面に形成されるエアカーテンの冷気の流速は保冷室の上部ほど速くなり、端部ゾーンの保冷室の上部には強力なエアカーテンが形成される。その結果、暖気の集まり易い上部であっても、外気の影響を受けにくく、端部ゾーンの保冷室の上段の棚に陳列された商品は、強力に保冷される。
【０００８】
本発明のオープンショーケースは、
前記端部ゾーンの前記保冷室の側面には透明板が配設されることを特徴としている。
この特徴によれば、端部ゾーンの保冷室の側面には透明板が配設されるので、延設ゾーンから端部ゾーンの保冷室へ回り込みによる外気、熱が侵入することを防ぐことができる。
【０００９】
本発明のオープンショーケースは、
前記区画パネルは、前記端部ゾーンの保冷室に冷気を供給する冷気供給孔を備え、前記冷気供給孔は、前記端部ゾーンの棚の幅の略全長にわたり配設されるとともに、前記棚と前記透明板との間に位置するように配設されることを特徴としている。
この特徴によれば、区画パネルに設けられた冷気供給孔は、端部ゾーンの保冷室の棚の幅の略全長にわたり配設されるとともに、棚と透明板との間に位置するように配設されるので、棚の中央に陳列された商品であっても、棚の端に陳列される商品であっても、効率よく冷却することができる。
【００１０】
本発明のオープンショーケースは、
前記端部ゾーン及び前記延設ゾーンは、それぞれ冷却装置を備え、それぞれの保冷室内の温度を独立して制御できることを特徴としている。
この特徴によれば、区画パネルにより区画された端部ゾーン及び延設ゾーンは、それぞれ冷却装置を備えるので、それぞれの保冷室内の温度を独立して制御でき、延いては、端部ゾーンと延設ゾーンは、保冷温度が異なる商品を保冷できるようになり、限られたスペースで多彩な商品を陳列することができる。
【図面の簡単な説明】
【００１１】
【図１】組合せオープンショーケースを示す一部斜視図である。
【図２】本発明が適用されたオープンショーケースの端部ゾーンの斜視図である。
【図３】本発明が適用されたオープンショーケースの端部ゾーンの正面図である。
【図４】本発明が適用されたオープンショーケースの端部ゾーンの側面図である。
【図５】本発明が適用されたオープンショーケースの端部ゾーンの平面図である。
【発明を実施するための形態】
【００１２】
本発明に係るオープンショーケースを実施するための形態を実施例に基づいて以下に説明する。
【００１３】
本発明に係るオープンショーケースにつき、図１から図５を参照して説明する。以下、図１、図２、図４及び図５の矢印Ａ方向並びに図３の紙面を上から下へ垂直に貫く方向を正面方向とする。また、図１、図２、図３及び図５のＢ方向を側面方向並びに図４の紙面を上から下へ垂直に貫く方向を側面方向とする。
【００１４】
図１は、組合せオープンショーケース１で、保冷室を有する延設ゾーンを形成するオープンショーケース３、４を背面合わせに配置し、さらに、オープンショーケース３、４の端部に端部ゾーンを形成する本発明のオープンショーケース２を背面合わせに配置して構成された組合せオープンショーケースである。図１においては、オープンショーケース２をオープンショーケース３、４の一方の端部のみに配置した状態を示しているが、オープンショーケース２を、オープンショーケース３、４の両端部に配置することもできる。
【００１５】
延設ゾーンを形成するオープンショーケース３、４は、ほぼ同じ構造を有しているので、オープンショーケース４の構造について簡単に説明する。図１に示すように、少なくとも正面が開放された保冷室４ａに上下方向に沿って商品の陳列棚４ｂ、…が複数段設けられるとともに、オープンショーケース４内には、図示しない冷却器と送風機を備える冷却装置が設けられている。冷却器によって冷却された冷気は、送風機によってケース本体の上部に設けられた吹出口から吹き出すことで、ケース本体の開放部にエアカーテンを形成して、保冷室４ａ内の商品を保冷している。
【００１６】
つぎに、本発明のオープンショーケース２について、図１から図５を参照して説明する。
【００１７】
図２に示すように、端部ゾーンを形成するオープンショーケース２は、保冷室１１の正面は、保冷室１１に商品を出し入れするための開放部６を有し、側面は、透明板１８、１８が設けられている。また、側面は、透明板１８、１８を取外して、開放することができる。
【００１８】
また、図２に示すように、保冷室１１は、天井に配設された天井板（図示せず）、底部に配設された底板２０及び延設ゾーンと端部ゾーンとの間を区画する区画パネル１２に囲まれた空間となっている。保冷室１１の区画パネル１２には、商品（図示せず）を陳列するための棚２１ａ、２１ｂ、２１ｃが上下多段に取り付けられており、多数の商品を陳列可能な構成となっている。
【００１９】
ここで、区画パネル１２の構成について説明する。図３に示すように、区画パネル１２は、保冷室の正面視の形状と略同一の形状を有し、少なくとも、その中央に略矩形のパネル１２ｂ、１２ｃと、略矩形のパネル１２ｂ、１２ｃに隣接する略三角形パネル１２ｄ、１２ｆを備え、略矩形のパネル１２ｂ、１２ｃ及び略三角形パネル１２ｄ、１２ｆには、冷気供給孔１２ａが多数穿設されている。そして、区画パネル１２は、少なくとも、略矩形のパネル１２ｂ、１２ｃと略三角形パネル１２ｄ、１２ｆとを組合せて、正面視にて下底より上底を短寸とした略台形としている。ここで、略台形の区画パネル１２は、一つの略台形の背面パネルから形成してもよいし、複数の略台形の背面パネルを組合せて構成してもよい。また、図３の区画パネル１２は、左右対称に構成されているが、左右非対称の略台形としてもよい。なお、略矩形のパネル１２ｂ、１２ｃ、略三角形パネル１２ｄ、１２ｆは、着脱可能となっている。
【００２０】
また、保冷室１１の底板２０は、その周囲を一対の側板１９ａ、１９a、側板１９ｂ及び区画パネル１２により囲まれた商品陳列部となっている。商品陳列部の底板２０の外周縁には、後述する冷気を吸込む吸込口１７ａ、１７ｂ、１７ｂが形成されている（図２、図５参照）。
【００２１】
また、図２、図３に示すように、保冷室１１の正面視の形状と区画パネル１２の正面視の形状とは略同一に形成されるので、保冷室１１の背面全体を覆って、延設ゾーンと端部ゾーンとの間を区画するので、延設ゾーンのオープンショーケース３、４から端部ゾーンのオープンショーケース２の保冷室１１へ、回り込みにより外気、熱が侵入することを防ぐことができる。
【００２２】
なお、天井板、底板２０、区画パネル１２は、必要に応じて断熱することができる。また、本実施例においては、保冷室の側面の開放部には透明板１８、１８を設けているが、透明板１８、１８を設けない場合には、後述するエアカーテンを使用して保冷することができる。
【００２３】
つぎに、冷気の流れについて説明する。図２に示すように、区画パネル１２と所定の間隔を設け、断熱された外側パネル１３が配置され、区画パネル１２と外側パネル１３との間の空間は通風路１４を形成している。さらに、底板２０の下部の空間（図示せず）と通風路１４とは連通した連通空間となっており、該連通空間には空気を冷却する冷却器（図示せず）および冷気を圧送する送風機（図示せず）からなる冷却装置が設置されている。
【００２４】
図２から図４に示すように、保冷室１１の上部前面には、吸込口１７ａに向けて吹出口１６が設けられている。そして、送風機よって循環される連通空間内の空気は、冷却器によって冷却され、吹出口１６及び冷気供給孔１２ａから冷気となって吹き出し、この冷気により棚２１ａ、２１ｂ、２１ｃ及び底板２０上の商品は冷却、保冷される。また、図２に示すように、吹出口１６から吹出した冷気及び区画パネル１２の略矩形パネル１２ｂ、１２ｃ（図３参照）の吹出口１２ａから吹出した冷気は、主に吸込口１７ａより吸い込まれ、台形状の開放部６の略中央部にはエアカーテン３１が形成される。また、区画パネル１２の略三角形パネル１２ｄ、１２ｆ（図３参照）の吹出口１２ａから吹出した冷気は、吸込口１７ａ、１７ｂより吸い込まれ、台形状の開放部６の側部にはエアカーテン３２、３３が形成される。このエアカーテン３１、３２、３３により、保冷室１１内の開放部６からの冷気の拡散や外部からの熱の侵入が防止され、保冷室の温度が一定に保たれるようになっている。
【００２５】
なお、図２及び図５に示すように、吸込口１７ｂ、１７ｂは、最下段の棚２１ｃの前端部より前側（開放部６側）に位置するように、保冷室の底部に設けられている。このような構成により、区画パネル１２の略三角形パネル１２ｄ、１２ｆ（図３参照）の吹出口１２ａから吹出した冷気は、エアカーテン３２、３３が乱れることなく、直進して吸込口１７ａ、１７ｂに吸い込まれるため、冷気が透明板１８に当りにくくなり、図４に示す透明板１８の領域Ｃが結露しにくくなる。
【００２６】
また、保冷室の側面に透明板１８、１８を設けないで開放する場合には、吸込口１７ｂ、１７ｂは、保冷室の底部側面の全長にわたって設けられる。さらに、吹出口１６を保冷室上部の前面及び側面に略コ字状に形成することにより、保冷室の前面及び側面の開放部にエアカーテンを形成することができる。
【００２７】
つぎに、保冷室１１及び区画パネル１２の形状の作用効果について説明する。図２、図３に示すように、保冷室１１を正面視及び側面視にて下底より上底を短寸とする略台形に形成して、保冷室の上部ほど保冷室の断面積を小さくしているので、開放部６に形成されるエアカーテンの冷気の流速は保冷室１１の上部ほど速くすることができ、保冷室の上部ほど、強力なエアカーテンが形成される。その結果、暖気の集まる上部から保冷室への外気及び熱の侵入をシャットアウトして、外気の影響を受けにくくすることができる。加えて、端部ゾーンの保冷室１１の上段の棚に陳列された商品は、流速の速い冷気によって冷却されるので、強力に保冷される。
【００２８】
また、図２及び図３に示すように、保冷室１１の側面部に透明板１８を配設することによって、保冷室１１から外部へ冷気が漏れたり、延設ゾーンのオープンショーケース３、４の熱や外気が、端部ゾーンのオープンショーケース２の保冷室１１へ侵入することを防ぐことができる。さらに、区画パネル１２の外気、熱の侵入防止作用と相俟って、保冷室１１は強力に保冷され、比較的低い保冷温度（たとえば、４℃前後）に保つことができる。加えて、透明板を使用することにより、消費者は陳列された商品を透明板１８を通して外部より容易に視認できるようになる。
【００２９】
つぎに、区画パネル１２及び冷気供給孔１２ａの作用効果について説明する。区画パネル１２は、保冷室１１の正面視の形状と略同一の形状とされるので、冷気供給孔１２ａは、保冷室正面視にて、棚２１ａ、２１ｂ、２１ｃの幅の略全長、または区画パネル１２全体にわたり設けることができる。その結果、商品が棚上のどこに陳列されていても、商品の位置に対応した冷気供給孔１２ａから冷気が供給され、保冷室の中央に陳列された商品のみでなく、保冷室のコーナ部に陳列された商品も、効率よく冷却することができ、比較的低い温度（たとえば４℃）に保冷することができる。
【００３０】
また、冷気供給孔１２ａを棚の幅の略全長にわたり設ける場合は、冷気供給孔１２ａを区画パネル全面に分布させる場合に比較して、冷気の流量を減らすことができ、省エネとなる。ここで、冷気供給孔１２ａを棚の幅の略全長にわたり設けるとは、一つの、冷気供給孔１２ａを棚の幅の略全長にわたって設けてもよいし、複数の冷気供給孔１２ａを断続して棚の幅の略全長にわたって設けてもよい。また、複数の冷気供給孔１２ａを断続して棚の幅の略全長にわたって設ける場合には、隣接する棚の間の領域全体に千鳥配列して、設けてもよいし、碁盤目配列のように縦、横揃えて配列してもよい。
【００３１】
さらに、図３に示すように、区画パネル１２の全面に冷気供給孔１２ａを設ければ、保冷室内をほぼ均一の温度分布とすることができる。逆に、冷気供給孔１２ａの分布を不均一にすることにより、保冷室内の温度分布を変化させることもできる。すなわち、保冷室１１に流れる冷気の風量分布を変えると、商品の冷却効果も変わるので、特定の領域の冷気供給孔の分布密度を他の領域よりも密にして、他の領域よりも冷却効果を高め、要冷蔵温度の低い商品に適した雰囲気温度にすることもできる。
【００３２】
従来は、冷蔵温度の一番低い商品に合わせて保冷室の温度を設定していた。しかし、本発明のオ−プンショーケース２においては、冷気の流速は、保冷室１１の上部ほど速くなっているので、上段の棚に陳列された商品は、下段の棚に陳列された商品よりも、良く冷える。さらに、上段の棚背後の冷気供給孔１２ａの分布を密にすれば、一層冷却効果を高めることができる。このようにすれば、上段の棚に要保冷温度の低い商品を陳列し、要保冷温度の高い商品を下段の棚、底板に陳列することができ、同じ保冷室１１の中で、異なる冷却効果を有する雰囲気を作ることができるので、省エネ、運転コストの低減を図ることができる。
【００３３】
なお、冷気供給孔１２ａの分布密度を変えるために、区画パネルに設ける冷気供給孔１２ａの分布を変化させるのではなく、特定の領域を覆う補助パネルを区画パネル１２に取付けて一部の冷気供給孔１２ａを塞ぎ、保冷室１１の温度分布を当初設定した温度分布と異なる温度分布に設定することもできる。
【００３４】
つぎに、透明板１８及び冷気供給孔１２ａの作用効果について説明する。冷気供給孔１２ａを、棚２１ａ、２１ｂ、２１ｃと透明板１８との間の領域に位置するように配設し、棚の端部に陳列された商品であっても、効率よく冷却することができる。なお、冷気供給孔１２ａは、棚２１ａ、２１ｂ、２１ｃの一方の各端部を結んだ線と透明板１８との間の領域に均一に設けるようにしてもよいし、棚上の商品の配列に合わせて不均一に配列してもよい。
【００３５】
さらに、延設ゾーンのオープンショーケース３、４と端部ゾーンのオープンショーケース２との間は、区画パネル１２により区画され独立した空間となるので、それぞれのゾーンに冷却装置を設けることで、それぞれの保冷室内の温度を独立して制御することできる。その結果、端部ゾーンと延設ゾーンは、要保冷温度が異なる商品を保冷できるようになり、限られたスペースで多彩な商品を陳列することができるようになる。
【００３６】
本発明のオープンショーケース２は、以下のような作用効果を奏する。
【００３７】
保冷室１１の正面視の形状と略同一に形成された区画パネル１２を設けることによって、背後から保冷室内へ外気、熱が侵入することを防ぐことができる。さらに、保冷室１１を正面視及び側面視にて下底より上底を短寸とする略台形に形成して、保冷室の上部ほど断面積を小さくすることにより、開放部に形成されるエアカーテンの冷気の流速を、保冷室の上部ほど速くできる。その結果、保冷室の上部には強力なエアカーテンが形成され、暖気の集まり易い上部であっても、外気の影響を受けにくく、保冷室の上段の棚に陳列された商品は、強力に保冷される。
【００３８】
冷気供給孔１２ａは、保冷室１１の正面視にて、棚２１ａ、２１ｂ、２１ｃの幅の略全長にわたり設けられているので、商品が棚２１ａ、２１ｂ、２１ｃのどの位置に陳列されていても冷やすことができるとともに、冷却風量を低減できるので、省エネとすることができる。
【００３９】
保冷室１１の側面部に透明板１８を配設したので、陳列された商品を外部より視認できるとともに、延設ゾーンから端部ゾーンの保冷室への回り込みによる外気、熱の侵入を防ぐことができる。さらに、棚２１ａ、２１ｂ、２１ｃの端部と透明板１８との間に冷気供給孔１２ａを設け、該冷却孔１２ａから供給される冷気によって、保冷室のコーナ部に配置された商品であっても効率よく冷却できる。
【００４０】
区画パネルにより区画された延設ゾーン３、４及び端部ゾーン２は、それぞれ冷却装置を備えるので、それぞれの保冷室内の温度を独立して制御できるので、端部ゾーンと延設ゾーンは、保冷温度が異なる商品を保冷できるようになり、限られたスペースで多彩な商品を陳列することができる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、図１の組合せオープンショーケース１は、オープンショーケース３、４を背面合わせに配置し、さらに、２つのオープンショーケース３、４の端部にオープンショーケース２を背面合わせに配置する構成とした。しかし、これに限らず、１つのオープンショーケース３の端部にオープンショーケース２を背面合わせに配置する構成としてもよく、売場の広さ、人の流れを考慮して、オープンショーケースを壁面に配置、また、中島状に配置し、ショーケースの配列の自由度及び売り場のスペース効率を向上させることができる。
【符号の説明】
【００４３】
１              組合せオープンショーケース
２              オープンショーケース（端部ゾーン）
３              オープンショーケース（延設ゾーン）
４              オープンショーケース（延設ゾーン）
４ａ            保冷室
４ｂ            棚
６              開放部
１１            保冷室
１２            区画パネル
１２ａ          冷気供給孔
１３            外側パネル
１４            通風路
１６            吹出口
１７ａ          吸込口
１７ｂ          吸込口
１８            透明板
２０            底板
２１ａ          棚
２１ｂ          棚
２１ｃ          棚
【図１】
2015150042.tif 000003
【図２】
2015150042.tif 000004
【図３】
2015150042.tif 000005
【図４】
2015150042.tif 000006
【図５】
2015150042.tif 000007